(57)【要約】【課題】両手で左右に引張った際に、ミシン目などの特定箇所から簡単に切り離せるように処理された包装用フィルムなどに貼着した場合、包装用フィルムの切り離しを妨げることなく、包装用フィルムとともに容易に切り離すことができ、しかも、外観も良好な粘着ラベルを提供する。【解決手段】複数に切り離す分断線１１が形成されている粘着ラベル１０Ａである。分断線１１は、少なくとも一方の端部近傍部１１ｂ，１１ｃが折曲して形成されていると、より少ない力で容易に切り離すことができる。さらに好ましい分断線１１は、両方の端部近傍部１１ｂ，１１ｃが互いに略反対向きに折曲して形成されているものである。【選択図】  図１
2004206040.tif 000002
【特許請求の範囲】
【請求項１】
片面が粘着面とされた粘着ラベルにおいて、
該粘着ラベルを複数に切り離す分断線が形成されていることを特徴とする粘着ラベル。
【請求項２】
前記分断線は、少なくとも一方の端部近傍部が折曲して形成されていることを特徴とする請求項１に記載の粘着ラベル。
【請求項３】
前記分断線は、両方の端部近傍部が互いに略反対向きに折曲して形成されていることを特徴とする請求項２に記載の粘着ラベル。
【請求項４】
前記粘着面における前記分断線の周部は、該周部以外の部分よりも、粘着強度が低いことを特徴とする請求項１ないし３のいずれかに記載の粘着ラベル。
【請求項５】
前記分断線は、断続的な切断部から形成されていることを特徴とする請求項１ないし４のいずれかに記載の粘着ラベル。
【請求項６】
前記分断線の末端には、前記切断部が形成されていないことを特徴とする請求項５に記載の粘着ラベル。
【請求項７】
請求項１ないし６のいずれかに記載の粘着ラベルが貼着されたことを特徴とする貼着物。
【請求項８】
請求項１ないし６のいずれかに記載の粘着ラベルが貼着されたことを特徴とする包装材。
【請求項９】
請求項８の包装材で包装されたことを特徴とする食品。
【請求項１０】
特定箇所で切り離される対象物に、前記請求項１ないし６のいずれかに記載の粘着ラベルを、前記分断線が前記特定箇所に沿うように貼着することを特徴とする粘着ラベルの貼着方法。
【発明の詳細な説明】
【０００１】
【発明の属する技術分野】
本発明は、特定箇所で切り離される対象物に貼着した際に、対象物とともに容易に切り離せる粘着ラベルと、この粘着ラベルが貼着された貼着物ならびにこの粘着ラベルの貼着方法に関する。
【０００２】
【従来の技術】
コンビニエンスストアなどの店頭に並んでいる加工食品には、樹脂フィルムなどの包装材で包装されているものが多い。
例えばおにぎりは、具が入ったご飯と海苔とが直に接触しないように樹脂フィルムからなる包装用フィルムに包装されて店頭に並んでいる。このようなおにぎりとしては、消費者が食べる直前に、まず包装用フィルムに設けられているリードテープで包装用フィルムを分断し、ついで、包装用フィルムを両手で左右に引張ることにより、ご飯と海苔とを接触させる形態のものが多く流通している。
また、例えば特許文献１には、包装用フィルムとして方向性の有するものを使用し、これに２カ所の切り込みを入れることによって、リードテープを別途設けることなく包装用フィルムを分断できる形態のものが提案されている。
これら従来の包装用フィルムには、おにぎりの中味、価格などを表示するために印刷が施されている場合が多い。
【０００３】
【特許文献１】
特公平６−４０１２号公報
【０００４】
【発明が解決しようとする課題】
しかしながら、このような印刷が包装用フィルムにあらかじめ施されていると、おにぎりを包装する現場において、おにぎりの中味や価格を変更した場合にはその包装用フィルムを使用できなくなるという問題があった。
そのため最近では、印刷の代わりに、おにぎりを包装した後に、おにぎりの中味、価格などを表示するラベルと、加工業者、加工年月日、商品管理用バーコードなどが表示されたラベルとを包装用フィルムに貼ることが増えてきている。
一方、おにぎりの包装用フィルムとしては、リードテープなどで始めに包装用フィルムを分断し、ついで両手で包装用フィルムを左右に引張る従来の形態に代わって、包装用フィルムに分断用のミシン目などを設けておき、消費者が包装用フィルムを両手で左右に引張ってミシン目から切り離すだけの１回の操作で、ご飯と海苔とを接触させられる形態のものが検討され始めている。
【０００５】
ところが、このようにミシン目が設けられた包装用フィルムにラベルを貼ってしまうと、包装用フィルムにあらかじめミシン目を設けていても、容易に切り離すことができなくなり、おにぎりに過剰な力が加わり、おにぎりが潰れてしまう場合があった。
【０００６】
本発明は上記事情に鑑みてなされたもので、両手で左右に引張った際に、ミシン目などの特定箇所から簡単に切り離せるように処理された包装用フィルムなどに貼着した場合、包装用フィルムの切り離しを妨げることなく、包装用フィルムとともに容易に切り離すことができ、しかも、外観も良好な粘着ラベルを提供することを課題とする。
【０００７】
【課題を解決するための手段】
本発明の粘着ラベルは、片面が粘着面とされた粘着ラベルにおいて、該粘着ラベルを複数に切り離す分断線が形成されていることを特徴とする。
前記分断線は、少なくとも一方の端部近傍部が折曲して形成されていることが好ましい。
前記分断線は、両方の端部近傍部が互いに略反対向きに折曲して形成されていることが好ましい。
前記粘着面における前記分断線の周部は、該周部以外の部分よりも、粘着強度が低いことが好ましい。
前記分断線は、断続的な切断部から形成されていることが好ましい。
前記分断線の末端には、前記切断部が形成されていないことが好ましい。
本発明の貼着物は、前記粘着ラベルが貼着されたことを特徴とする。
本発明の包装材は、前記粘着ラベルが貼着されたことを特徴とする。
本発明の食品は、前記包装材で包装されたことを特徴とする。
本発明の粘着ラベルの貼着方法は、特定箇所で切り離される対象物に、前記粘着ラベルを、前記分断線が前記特定箇所に沿うように貼着することを特徴とする。
【０００８】
【発明の実施の形態】
以下、本発明の実施形態について詳細に説明する。
図１は本発明の第１実施形態例である粘着ラベル（以下、第１の粘着ラベルという。）１０Ａの拡大平面図、図２は図１の粘着ラベル１０ＡのＩ−Ｉ’線に沿う断面図であって、この例の第１の粘着ラベル１０Ａは、図１中Ｌａの長さが５０ｍｍ程度の略正三角形とされ、基材フィルム２０の片面に粘着層３０が形成されて粘着面とされたものである。
この第１の粘着ラベル１０Ａは、樹脂フィルムなどからなるおにぎりの包装材に貼着されるものであって、おにぎりの中味、価格などを表示する印刷が、必要に応じて、基材フィルム２０の外表面に施され、おにぎりが店頭に陳列される際に表側となる部分に貼着されるものである。
【０００９】
この第１の粘着ラベル１０Ａには、図中符号１１で示すように１本の分断線が形成されている。
この分断線１１は、詳しくは後述するが、この例の粘着ラベル１０Ａが貼着された包装材を、包装材に形成されたミシン目などに沿って引張って切り離す際に、貼着された粘着ラベル１０Ａも包装材とともに容易に切り離せるように誘導用として形成されたものである。
この例の分断線１１は、端部近傍部１１ｂ，１１ｃと、これら端部近傍部以外の部分（以下、基幹部という。）１１ａとの３つの部分から構成され、両方の端部近傍部１１ｂ，１１ｃは、基幹部１１ａからみて、互いに略反対向きに折曲している。すなわち、この第１の粘着ラベル１０Ａにおいては、図１中Ｐで示す略正三角形の頂点からこの頂点に対向する辺に向かって図示略の垂線をひいた場合、分断線１１の基幹部１１ａはこの垂線に沿う直線に形成されているが、この基幹部１１ａに連続した端部近傍部のうち一方１１ｂは、この垂線よりも図中左側上方に向けて折曲し、他方１１ｃはこの垂線よりも図中右側下方に向けて折曲している。また、端部近傍部１１ｂ，１１ｃと、基幹部１１ａは、いずれも直線状に形成されている。
【００１０】
なお、この例においては、基幹部１１ａの長さは３３ｍｍとされ、端部近傍部１１ｂ，１１ｃと基幹部１１ａとがなす角度α，βは、いずれも１３５度程度となっている。
また、基材フィルム２０および粘着層３０の材質には特に制限はなく、基材フィルム２０としては、紙、樹脂フィルム、金属箔の他、樹脂コーティング紙など、これらが積層した積層体が挙げられ、粘着層３０としては、アクリル系粘着剤からなるものなど、通常の粘着ラベルに使用される材料を用いることができる。
【００１１】
また、この例の分断線１１は、断続的に切断部が形成された、いわゆるミシン目によって形成されている。
特にこの例において基幹部１１ａは、２ｍｍ程度の長さの線状の切断部が、０．５ｍｍ程度の間隔をあけて形成され、全長が３３ｍｍ前後とされている。一方、両方の端部近傍部１１ｂ，１１ｃは、基幹部１１ａに連続して形成された１２ｍｍ程度の１本の線状の切断部を有し、この切断部は粘着ラベル１０Ａの周端に到達しないようにされている。すなわち、分断線１１の末端１１ｂ’，１１ｃ’には、切断部は形成されていない。
【００１２】
また、この第１の粘着ラベル１０Ａでは片面が粘着面となるように、片面全面に粘着層３０が形成されているが、粘着層３０における分断線１１の周部、すなわち、粘着面側からみた平面図である図３中斜線で示す部分の粘着層３０には、粘着性を弱めるためのニスなどのいわゆる糊殺し剤が塗布され、粘着層３０における斜線以外の部分よりも、粘着強度が低い弱粘着部３０ａとなっている。この例において弱粘着部３０ａは、分断線１１をほぼ含むように分断線１１の基幹部１１ａに沿って幅Ｗ１５ｍｍの帯状に形成されている。
【００１３】
図４は、本発明の第２実施形態例の粘着ラベル（以下、第２の粘着ラベルという。）１０Ｂを粘着面側から見た平面図であって、縦（Ｌｂ）３５ｍｍ×横（Ｌｃ）５４ｍｍの矩形であり、第１の粘着ラベル１０Ａと同様に、基材フィルムの片面に粘着層が形成されたものである。
この第２の粘着ラベル１０Ｂも、おにぎりの包装材に貼着されるものであるが、第１の粘着ラベル１０Ａと異なり、おにぎりの加工業者、加工年月日、商品管理用バーコードなどを表示するために、店頭に陳列される際には裏側となる部分に貼着されるものである。
【００１４】
第２の粘着ラベル１０Ｂにも、図中符号１１で示すように、切り離しの誘導用として、１本の分断線１１が形成されている。
この例の分断線１１は、粘着ラベル１０Ｂにおける横方向の中央よりもずれた位置に、縦方向に沿って形成されていて、分断線１１により分けられた図中左側の部分の面積が、図中右側の部分の面積よりも大きくなっている。よって、例えばこの粘着ラベル１０Ｂの基材フィルムの外表面にバーコードを印刷する場合、図中左側の部分の基材フィルムに印刷することにより、バーコードが分断線１１で分断されず、左側の部分におさまるようになっている。また、この例の分断線１１は、端部近傍部１１ｂと、この端部近傍部１１ｂ以外の基幹部１１ａとの２つの部分から構成され、端部近傍部１１ｂは、基幹部１１ａから折曲して形成されている。なお、基幹部１１ａおよび端部近傍部１１ｂはいずれも直線状に形成されている。
【００１５】
また、この例においては、基幹部１１ａの長さは３１ｍｍとされ、端部近傍部１１ｂと基幹部１１ａとの角度γは１３５度程度となっている。
また、この例の分断線１１において基幹部１１ａは、第１の粘着ラベル１０Ａの場合と同様にミシン目によって形成されている。一方、端部近傍部１１ｂは１つの４ｍｍ程度の切断部のみからなっている。また、この例では分断線１１における基幹部１１ａ側の末端１１ａ’には、切断部が形成されていない。
【００１６】
また、この例の第２の粘着ラベル１０Ｂにおいても、第１の粘着ラベル１０Ａと同様に、片面全体に形成された粘着層のうち、分断線１１の周部、すなわち、図４中斜線で示す部分には糊殺し剤が塗布され、斜線以外の部分よりも、粘着強度が低い弱粘着部３０ａとなっている。この例において弱粘着部３０ａは、分断線１１をほぼ含むように幅Ｗ１５ｍｍで縦に帯状に形成されている。
【００１７】
次に第１および第２の粘着ラベル１０Ａ，１０Ｂを、おにぎりを包装している包装材に貼着する方法について説明する。
図５（ａ）（ｂ）は、これら粘着ラベル１０Ａ，１０Ｂが貼着された包装材で包装された包装済みおにぎり５０を示す斜視図である。
この包装済みおにぎり５０は、図６に示すように、矩形シート状の海苔４１が外包フィルム４２と内包フィルム４３との間に配置され、外包フィルム４２と内包フィルム４３の周縁がヒートシールされた包装材４０で包装されたものである。
この包装材４０における外包フィルム４２は、矩形であって、幅（短辺）方向の中央部に長さ（長辺）方向にわたって形成されたミシン目４２ａを有している。内包フィルム４３は、互いに側部が重なりあうように配された２枚の矩形のフィルム４３ａ，４３ｂからなっている。また、この例では、海苔４１が湿気ないように、外包フィルム４２に形成されたミシン目４２ａと海苔４１との間に図示略の中間フィルムが設けられている。
【００１８】
この包装材４０を、図７に示すように内包フィルム４３が上側となるように配置し、この包装材４０の長さ方向における中央部に、三角に握られたご飯４５の一側面を接触させ、立てるように載せる。ついで、包装材４０においてご飯４５よりも図中前方の部分と、図中後方の部分とを、ご飯４５を挟むようにして立ち上げて、ご飯４５における２つの三角形面に対して包装材４０を被せる。ついで、ご飯４５よりも図中後方の部分を、図中前方側の三角形面にまでに延出するように覆い被せて、この覆い被せた箇所には、図５（ｂ）に示すように、第２の粘着ラベル１０Ｂを貼着して、包装材４０が開かないように留める。
一方、第２の粘着ラベル１０Ｂが貼着されていない側の三角形面に対して、図５（ａ）のように第１の粘着ラベル１０Ａを貼着する。
【００１９】
そして、この際、第１および第２の粘着ラベル１０Ａ，１０Ｂを貼着するにあたって、図５（ａ）（ｂ）に示すように、それぞれの粘着ラベル１０Ａ，１０Ｂにおける基幹部１１ａが、包装材４０の外包フィルム４２に形成されたミシン目４２ａに沿うように貼着する。
このようにして第１および第２の粘着ラベル１０Ａ，１０Ｂを貼着すると、図８に示すように、左手でこの包装済みおにぎり５０を掴み、右手で包装材４０の耳部４４を図中矢印方向に引張った際に、これら粘着ラベル１０Ａ，１０Ｂも、ミシン目４２ａで切り離される包装材４０とともに、それぞれ分断線１１から容易に切り離され、１回の操作で、ご飯４５と海苔４１とを接触させ、おにぎりとして取り出すことができる。
【００２０】
特に、第１の粘着ラベル１０Ａにおいては、分断線１１が、端部近傍部１１ｂ，１１ｃと、これらをつなぐ基幹部１１ａとの３つの部分から構成され、両方の端部近傍部１１ｂ，１１ｃは、基幹部１１ａから互いに略反対向きに折曲している。そのため、この粘着ラベル１０Ａが貼着された包装材４０で包装された包装済みおにぎり５０を、図８のように右手で矢印方向に引張った場合、端部近傍部１１ｂ，１１ｃの向きは、引張る方向に対して略垂直ではなく斜めになっているので、粘着ラベル１０Ａが非常に切り離されやすくなる。また、図８に示すようにして左手で包装済みおにぎり５０を掴み、右手で耳部４４を引張った場合、図９を示して説明するように、点Ｑで示される頂点を支点とした矢印方向の力が作用しやすくなり、容易に切り離せるようになるとも考えられる。
また、第２の粘着ラベル１０Ｂは、端部近傍部１１ｂと、この端部近傍部１１ｂ以外の基幹部１１ａとの２つの部分から構成され、一方の端部近傍部１１ｂのみが基幹部１１ａから折曲して形成されている。このように、第２の粘着ラベル１０Ｂでは、一方の端部近傍部１１ｂのみが折曲しているが、この場合でも、端部近傍部１１ｂは、引張る方向に対して略垂直ではなく斜めになることなどから、第１の粘着ラベル１０Ａの場合と同様の効果が発現すると考えられる。
【００２１】
なお、第１および第２の粘着ラベル１０Ａ，１０Ｂにおいては、端部近傍部１１ｂ，１１ｃと基幹部１１ａとの角度α，β，γは、いずれも１３５度となっているが、１３５度に限定されず、好ましくは９０度を超えた角度、さらに好ましくは１２０〜１５０度、より好ましくは１３０〜１４０度の範囲である。また、第１の粘着ラベル１０Ａにおいて、角度αと角度βとが異なっていても良い。
また、基幹部１１ａと、端部近傍部１１ｂ，１１ｃとの長さの比率は、第１の粘着ラベル１０Ａの大きさ、要求される切り離し性などに応じて適宜設定できるが、第１の粘着ラベル１０Ａのように、両方の端部近傍部１１ｂ，１１ｃが折曲していて、図５（ａ）のように包装済みおにぎり５０に貼着される用途の場合には、基幹部１１ａの長さは、通常、分断線１１の全体の長さの５０〜９０％、好ましくは５０〜７０％とする。なお、図１に示す第１の粘着ラベル１０Ａの場合、基幹部１１ａの長さは、分断線１１の全体の長さの５７％程度である。一方、第２の粘着ラベル１０Ｂのように、一方の端部近傍部１１ｂｃのみが基幹部１１ａから折曲していて、図５（ｂ）のように包装済みおにぎり５０に貼着される用途の場合には、基幹部１１ａの長さは、通常、分断線１１の全体の長さの６０〜９５％、好ましくは７０〜９５％とする。なお、図４に示す第２の粘着ラベル１０Ｂの場合、基幹部１１ａの長さは、分断線１１の全体の長さの８９％程度である。
【００２２】
さらに第１の粘着ラベル１０Ａにおいては、形成されている分断線１１の両方の末端１１ｂ’，１１ｃ’には切断部が形成されていない。よって、粘着ラベル１０Ａを輸送する際などに、この粘着ラベル１０Ａに対して振動など外部から何らかの力が加わった場合でも、この粘着ラベル１０Ａが、分断線１１の末端１１ｂ’，１１ｃ’から切り離されにくい。一方、この末端１１ｂ‘１１ｃ’  以外の端部近傍部１１ｂ，１１ｃは、１つの切断部からなっているので、第１の粘着ラベル１０Ａを分断線１１から切り離そうとして力を加えた場合に、末端１１ｂ’，１１ｃ’さえ切り離すことができれば、容易に連続的に切り離し続けることができる。
なお、第１の粘着ラベル１０Ａにおいては、このように分断線１１の両方の末端１１ｂ’，１１ｃ’に切断部が形成されていないが、第２の粘着ラベル１０Ｂのように、一方の末端１１ａ’のみに切断部が形成されていない状態となっていてもよい。
【００２３】
また、これらの例の分断線１１は、基幹部１１ａは２ｍｍ程度の長さの断続的な切断部からなっているが、切断部の長さは、適宜設定すればよく制限はない。また、第１の粘着ラベル１０Ａの端部近傍部１１ｂ，１１ｃは、その末端１１ｂ，１１ｃには切断部が形成されておらず、それ以外は比較的長い１２ｍｍ程度の１つの切断部からなっていて、輸送時なとには容易に切り離されにくく、一方、力を加えた際には容易に切り離せるようになっているが、この形態に限定されず、基幹部１１ａと同様に、断続的な複数の切断部が形成された形態であってもよい。
【００２４】
さらに、これらの粘着ラベル１０Ａ，１０Ｂにおいては、粘着層３０における分断線１１の周部が、周部以外の部分よりも、粘着強度が低くなるように糊殺し剤により処理されている。仮に、弱粘着部３０ａが設けられていない場合には、ミシン目４２ａと基幹部１１ａがずれた状態で粘着ラベル１０Ａ，１０Ｂが貼着されると、粘着ラベル１０Ａ，１０Ｂが包装材４０のミシン目４２ａからの切り離しを妨げてしまう可能性がある。しかし、この例のように弱粘着部３０ａがあれば、図５に示すようにして、おにぎりを包装している包装材４０のミシン目４２ａに分断線１１の基幹部１１ａが沿うように、粘着ラベル１０Ａ，１０Ｂを貼着する際に、若干、ミシン目４２ａと基幹部１１ａとがずれてしまっても、ミシン目４２ａが糊殺し処理された弱粘着部３０ａ内におさまる程度のずれであれば、切り離し性がほとんど低下しない。
また、ここで、分断線１１の周部の粘着強度を低くするためには、あらかじめその部分に粘着層１３を設けない方法も考えられる。ただし、粘着層１３を設けてから糊殺し剤で処理する方法では、その部分の粘着強度はある程度は維持されるため、粘着ラベル１０Ａ，１０Ｂを剥離シート上に貼着した状態で輸送する際などに、その部分が弱く剥離シートに粘着し、その結果、分断線１１が輸送中の振動などで切り離されてしまうことを抑制できるのでより好ましい。
【００２５】
さらに、以上例示した第１および第２の粘着ラベル１０Ａ，１０Ｂにおいては、端部近傍部１１ｂ，１１ｃと基幹部１１ａは、いずれも直線状に形成されているが、例えば、図１０〜１２に示すように、基幹部１１ａが直線ではなく、波線状や連続した折れ線状に形成されていてもよい。このように基幹部１１ａが直線状でなく波線状や連続した折れ線状に形成されていても、第１および第２の粘着ラベル１０Ａ，１０Ｂの場合と同様にこれらを包装済みおにぎり５０に貼着した場合、いずれも右手で矢印方向に引張って、包装材４０のミシン目４２ａとともに容易に切り離すことができる。また、これら粘着ラベル１０Ａ’，１０Ａ”，１０Ｂ’を貼着する場合にも、基幹部１１ａの全体としての向きはミシン目４２ａに沿うように貼着する。
【００２６】
また、特に図４に示した第２の粘着ラベル１０Ｂのように、商品管理用バーコードなどが印刷され、店頭に陳列される際には包装済みおにぎり５０の裏側となる部分に貼着される形態のものの場合には、図１３の平面図に示すように、分断線１１の方向（基幹部１１ａの方向）が必ずしもその粘着ラベル１０Ｂ”の縦方向と平行でなく、若干斜めに傾いた状態となっていてもよい。この例では、傾きの角度は２５°程度である。また、図中符号Ｒは、この粘着ラベル１０Ｂ”の横方向の中心線である。
このように分断線１１の向きが斜めであると、分断線１１により分けられた図中左側の部分の面積が、図４の場合と同様に、図中右側の部分の面積よりも大きくなる。その結果、この粘着ラベル１０Ｂ”の基材フィルムの外表面にバーコードを印刷するに際に、図中左側の部分の基材フィルムに印刷することにより、バーコードが分断線１１で分断されず、左側の部分におさまるようになる。また、この粘着ラベル１０Ｂ”の粘着面においても、図中斜線で示すように、分断線１１の周部は斜線以外の部分よりも、粘着強度が低い弱粘着部３０ａとなっている。よって、図１４のように包装済みおにぎり５０に貼着した場合、基幹部１１ａが傾いているためにミシン目４２ａとは重ならないが、ミシン目４２ａが弱粘着部３０ａ内におさまるように貼着するかぎり、切り離し性が低下しない。また、図４の粘着ラベル１０Ｂの場合、基幹部１１ａとミシン目４２ａとが略沿うようにこの粘着ラベル１０Ｂを貼着しようとすると、粘着ラベル１０Ｂを包装済みおにぎり５０の裏面中央ではなく、横方向にずらして貼る必要があるが、この例の粘着ラベル１０Ｂ”の場合には、中央に貼着することができるため、貼着工程における位置合わせの手間が省ける。
【００２７】
以上例示した各粘着ラベル１０Ａ，１０Ａ’，１０Ａ”，１０Ｂ，１０Ｂ’，１０Ｂ”（以下粘着ラベル１０Ａ〜Ｂ”と表記する。）の製造方法としては特に制限はないが、基材フィルム２０の片面に粘着層３０が形成され、粘着層３０には剥離シートが設けられた長尺テープを、基材フィルム２０側が上側となるように連続的に引き出し、これを抜き型で打ち抜いて、外形の形成と分断線１１の形成とを同時に行って粘着ラベルを製造する方法が好ましい。すなわち、第１の粘着ラベル１０Ａの場合には、抜き型として、テープを略正三角形に打ち抜ける断面略正三角形の筒状の型と、図１に示したように特定の分断線１１を形成可能な刃とを備えたものを使用する。なお、この際、剥離シートは打ち抜かない。
このように抜き型を使用し、抜き型に対して連続的にテープを供給することによって、多数枚の粘着ラベル１０Ａ〜Ｂ”を連続的に製造することができる。
【００２８】
このように以上例示した各粘着ラベル１０Ａ〜Ｂ”には、少なくとも一方の端部近傍部１１ｂ，１１ｃが折曲した分断線１１が形成されているので、これらをおにぎりの包装材４０のミシン目４２ａに沿うように貼着しても、包装材４０の切り離し性を妨げることなく、少ない力で容易に、包装材４０とともに切り離すことができる。また、このような粘着ラベルには、分断線１１としてミシン目が形成されているだけなので、外観に影響を与えることもない。
なお、以上の説明においては、粘着ラベル１０Ａ〜Ｂ”が貼着される対象物として、おにぎりを包装する包装材４０を例示したが、例えば、手巻き寿司、サンドイッチ、菓子パン、菓子など他の食品を包装する包装材であってもよいし、食品以外のものを包装する包装材でもよい。食品以外のものを包装する包装材としては、例えば、携帯用ティッシュペーパーを包装している包装材などが挙げられる。この場合には、粘着ラベル１０Ａ〜Ｂ”の基材フィルム２０の外表面に広告などを印刷し、それを携帯用ティッシュペーパーの包装材にあらかじめ形成されているミシン目に、分断線１１の基幹部１０ａが沿うように貼着することにより、宣伝配布用のティッシュペーパーとすることができる。さらには、粘着ラベル１０Ａ〜Ｂ”が貼着される対象物としては包装材に限定されず、得られる貼着物にも限定はない。
【００２９】
また、以上の説明においては、貼着の対象物として、特定箇所にミシン目４２ａが形成され、このミシン目４２ａによって切り離される形態の包装材４０を例示したが、特定箇所から切り離されるものであれば、ミシン目４２ａが形成されていなくてもよく、例えば、特定箇所の厚みが薄くされることにより、切り離され易くされたもの、包装材を構成している樹脂フィルムに延伸などで方向性を持たせて、切り離されやすくされたものなどであってもよい。
【００３０】
さらに、粘着の対象物がおにぎりが包装される包装材である場合にも、包装材としては、図６に示したような、特定箇所にミシン目４２ａが形成され、このミシン目４２ａによって切り離される形態の包装材４０に限定されない。例えば、図１５に、包装材にリードテープ４６が設けられ、このリードテープ４６で包装材４０’を分断する形態のものに第１の粘着ラベル１０Ａを貼着した様子を示す。このように第１の粘着ラベル１０Ａを貼着すると、リードテープ４６を引張って包装材４０の分断を進めていき、リードテープ４６が粘着ラベル１０Ａに差しかかった際、端部近傍部１１ｂ付近の粘着ラベル１０Ａにリードテープ４６が引っかかりやすいため、粘着ラベル１０Ａの分断が開始されやすい。また、同様に粘着の対象物としては、特許文献１に記載されたような、包装用フィルムとして方向性の有するものを使用し、これに２カ所の切り込みを入れることによって、リードテープを別途設けることなく包装用フィルムを分断できる形態の包装材であってもよい。
【００３１】
さらに、以上の説明においては、最も好適な分断線１１として、少なくとも一方の端部近傍部１１ｂ，１１ｃが折曲して形成されているものを例示したが、このような形態に限定されず、一方向にのびる直線状や、波状の曲線であってもよい。しかしながら、少なくとも一方の端部近傍部１１ｂ，１１ｃが折曲した分断線１１が形成されていると、より少ない力で容易に切り離すことができ、おにぎりなどの食品の包装材４０への貼着に好適である。
また、分断線１１は、切り離しの必要に応じて、１枚の粘着ラベル１０Ａ，１０Ｂにおいて２本以上形成されていてもよい。
また、粘着ラベルの外形としては、図１の例のような略正三角形、図４の例のような矩形に限定されず、円形、楕円形、半円形、正方形、多角形など、いかなる形であってもよい。
【００３２】
【発明の効果】
以上説明したように本発明の粘着ラベルによれば、特定箇所で複数に切り離される対象物に貼着した際に、対象物とともに容易に切り離すことができる。よって、様々な印刷がなされ、おにぎり、手巻き寿司などの食品を包装する包装材へ貼着されるラベルとして好適である。
【図面の簡単な説明】
【図１】第１の実施形態例の粘着ラベルを基材フィルム側から見た拡大平面図である。
【図２】図１のＩ−Ｉ’線に沿う断面図である。
【図３】第１の実施形態例の粘着ラベルを粘着面側から見た平面図である。
【図４】第２の実施形態例の粘着ラベルを粘着面側から見た平面図である。
【図５】図１および図４の粘着ラベルが貼着された包装済みおにぎりを示す斜視図である。
【図６】（ａ）図５の包装済みおにぎりに使用された包装材を示す平面図と、（ｂ）断面図である。
【図７】図６の包装材上に握られたご飯を載置した状態を示す斜視図である。
【図８】図５の包装済みおにぎりの包装材を切り離す様子を説明する説明図である。
【図９】図５の包装済みおにぎりの包装材を切り離す際に、包装材に貼着されている粘着ラベルに作用する力を説明する平面図である。
【図１０】粘着ラベルの他の例を示す基材フィルム側から見た平面図である。
【図１１】粘着ラベルの他の例を示す基材フィルム側から見た平面図である。
【図１２】粘着ラベルの他の例を示す基材フィルム側から見た平面図である。
【図１３】粘着ラベルの他の例を示す粘着面側から見た平面図である。
【図１４】図１３の粘着ラベルが貼着された包装済みおにぎりを示す斜視図である。
【図１５】図１の粘着ラベルが貼着された包装済みおにぎりの他の例を示す斜視図である。
【符号の説明】
１０Ａ，１０Ｂ，１０Ａ’，１０Ｂ’，１０Ａ”，１０Ｂ”・・・粘着ラベル，１１・・・分断線，１１ｂ，１１ｃ・・・端部近傍部，３０・・・粘着層，４０，４０’・・・包装材
【図１】
2004206040.tif 000003
【図２】
2004206040.tif 000004
【図３】
2004206040.tif 000005
【図４】
2004206040.tif 000006
【図５】
2004206040.tif 000007
【図６】
2004206040.tif 000008
【図７】
2004206040.tif 000009
【図８】
2004206040.tif 000010
【図９】
2004206040.tif 000011
【図１０】
2004206040.tif 000012
【図１１】
2004206040.tif 000013
【図１２】
2004206040.tif 000014
【図１３】
2004206040.tif 000015
【図１４】
2004206040.tif 000016
【図１５】
2004206040.tif 000017